(57)【要約】【課題】貯蔵室を区画形成した小貯蔵室を選択的かつ集中的に冷却することができる冷蔵庫を供給する。【解決手段】本発明の冷蔵庫１０は、冷凍室１７が、上段右側冷凍室１７１ないし上段左側冷凍室１７４に区切られている。また、上段右側冷凍室１７１ないし上段左側冷凍室１７４に、夫々、上段右側温度センサ５０１ないし上段左側温度センサ５０４が設置されている。そして、制御装置５０は、上段右側冷凍室１７１ないし上段左側冷凍室１７４の何れかの庫内温度が、所定の設定温度よりも高い場合、その小冷凍室に繋がる遮蔽装置７０遮蔽装置の遮蔽壁７１を開状態として、冷凍サイクルおよび送風機４７を運転する。【選択図】図７
2020106264.tif 000002
【特許請求の範囲】
【請求項１】
複数の貯蔵室と、前記貯蔵室に送風される空気を冷却する冷凍サイクルの冷却器と、前記空気を前記貯蔵室に向けて送風する送風機と、前記送風機から送風される前記空気が通過する風路と、前記風路を遮蔽する可動式の遮蔽壁と、前記貯蔵室の庫内温度を検知する温度センサと、前記温度センサの出力に基づいて、前記冷凍サイクル、前記送風機、前記遮蔽壁を制御する制御装置と、を備え、
前記制御装置は、
前記貯蔵室の前記庫内温度がオフ設定温度よりも低い場合は前記冷凍サイクルの圧縮機および前記送風機を停止し、前記庫内温度がオン設定温度よりも高い場合は前記圧縮機および前記送風機を運転し、
前記温度センサが検知した何れかの前記貯蔵室の前記庫内温度が、前記オン設定温度よりも高く設定された第１オン設定温度よりも高ければ、前記何れかの前記貯蔵室に繋がる前記風路に介装された前記遮蔽壁を開状態として、前記圧縮機および前記送風機を運転することを特徴とする冷蔵庫。
【請求項２】
前記貯蔵室は、複数の小貯蔵室に区切られ、
前記遮蔽壁は、各々の前記小貯蔵室と前記送風機との間に配置され、
前記温度センサは、前記小貯蔵室に個別に配置され、
前記制御装置は、
前記貯蔵室の前記庫内温度又は前記小貯蔵室に個別に配置されたセンサ温度の平均が前記オフ設定温度よりも低い場合は前記圧縮機および前記送風機を停止し、前記庫内温度又は前記小貯蔵室に個別に配置されたセンサ温度の平均が前記オン設定温度よりも高い場合は前記圧縮機および前記送風機を運転し、
前記温度センサが検知した何れかの前記小貯蔵室の前記庫内温度が、前記第１オン設定温度よりも高ければ、前記何れかの前記小貯蔵室に繋がる前記遮蔽壁を開状態として、前記圧縮機および前記送風機を運転することを特徴とする請求項１に記載の冷蔵庫。
【請求項３】
前記制御装置は、
前記貯蔵室の平均庫内温度が前記オン設定温度よりも低い場合でも、前記温度センサが検知した何れかの前記小貯蔵室の前記庫内温度が、前記第１オン設定温度よりも高ければ、前記何れかの前記小貯蔵室に繋がる前記遮蔽壁を開状態として、前記圧縮機および前記送風機を運転することを特徴とする請求項２に記載の冷蔵庫。
【請求項４】
前記制御装置は、
前記温度センサが検知した何れかの前記小貯蔵室の前記庫内温度が、前記第１オン設定温度よりも高く設定された第２設定温度よりも高い場合、前記オフ設定温度を低温側に設定し、
前記何れかの前記小貯蔵室の前記庫内温度が、低温側に設定された前記オフ設定温度よりも低くなるまで、前記何れかの前記小貯蔵室に前記空気を送風することを特徴とする請求項３に記載の冷蔵庫。
【請求項５】
前記遮蔽壁を駆動する遮蔽装置を更に具備し、
前記遮蔽装置は、円周方向に沿ってスライド溝が形成された回転プレートと、前記スライド溝に係合する移動軸が形成されて前記遮蔽壁に回転可能に連結されたカムと、前記回転プレートを回転するモータと、を有することを特徴とする請求項１から請求項４の何れかに記載の冷蔵庫。
【請求項６】
前記制御装置は、
前記何れかの前記小貯蔵室に繋がる前記遮蔽壁を開状態とする際には、その他の前記遮蔽壁を閉状態とすることを特徴とする請求項２から請求項５の何れかに記載の冷蔵庫。
【請求項７】
前記遮蔽壁は、各々の前記貯蔵室と前記送風機との間に配置されることを特徴とする請求項１に記載の冷蔵庫。
【発明の詳細な説明】
【技術分野】
【０００１】
本発明は、冷蔵庫に関し、特に、貯蔵室を区切ることで形成される複数の小貯蔵室を有する冷蔵庫に関する。
【背景技術】
【０００２】
一般的な冷蔵庫では、断熱構造を有する断熱箱体の内部に貯蔵室が形成されており、貯蔵室は冷蔵温度帯域または冷凍温度帯域に冷却されている。具体的には、貯蔵室を冷却する冷凍サイクルは、圧縮機、凝縮器、膨張手段および蒸発器から成り、蒸発器で冷却室の空気を冷却する。そして、送風機により、蒸発器が冷却した空気を貯蔵室に送風することで、貯蔵室を所定の温度帯域に冷却している。
【０００３】
冷凍サイクルの圧縮機および送風機は、ＣＰＵである制御装置が制御している。具体的には、温度センサが検知した貯蔵室の庫内温度がオン設定温度よりも高ければ、制御装置は、圧縮機および送風機を運転し、冷気を貯蔵室に供給する。一方、貯蔵室の庫内温度がオフ設定温度よりも低ければ、制御装置は、圧縮機および送風機を停止する。このように圧縮機および送風機を運転することで、貯蔵室の庫内温度は所定の温度帯域に保たれる。
【先行技術文献】
【特許文献】
【０００４】
【特許文献１】特開平１０−１９７１２９号公報
【特許文献２】特開２０１１−５２９３４号公報
【発明の概要】
【発明が解決しようとする課題】
【０００５】
しかしながら、上記した冷蔵庫の冷却方法では、貯蔵室を区画壁で区画した小貯蔵室を有する冷蔵庫を好適に冷却することが困難な場合が考えられる。
【０００６】
具体的には、ユーザが小貯蔵室の一つに高温の食品などを収納した場合、高温食品が収納された小貯蔵室のみの庫内温度が上昇し、他の小貯蔵室の庫内温度はそれほど上昇しない。よって、貯蔵室の庫内温度を全体的に検知する温度センサで、当該小貯蔵室の庫内温度上昇を検知することは難しい。
【０００７】
また、温度センサが当該小貯蔵室の庫内温度上昇を検知したとしても、送風機は貯蔵室全体に対して冷気を送風するため、当該小貯蔵室を集中的に冷却することはできない。
【０００８】
本発明は、上記の事情に鑑みてなされたものであり、その目的とするところは、貯蔵室を区画形成した小貯蔵室を選択的かつ集中的に冷却することができる冷蔵庫を供給することにある。
【課題を解決するための手段】
【０００９】
本発明の冷蔵庫は、複数の貯蔵室と、前記貯蔵室に送風される空気を冷却する冷凍サイクルの冷却器と、前記空気を前記貯蔵室に向けて送風する送風機と、前記送風機から送風される前記空気が通過する風路と、前記風路を遮蔽する可動式の遮蔽壁と、前記貯蔵室の庫内温度を検知する温度センサと、前記温度センサの出力に基づいて、前記冷凍サイクル、前記送風機、前記遮蔽壁を制御する制御装置と、を備え、前記制御装置は、前記貯蔵室の前記庫内温度がオフ設定温度よりも低い場合は前記冷凍サイクルの圧縮機および前記送風機を停止し、前記庫内温度がオン設定温度よりも高い場合は前記圧縮機および前記送風機を運転し、前記温度センサが検知した何れかの前記貯蔵室の前記庫内温度が、前記オン設定温度よりも高く設定された第１オン設定温度よりも高ければ、前記何れかの前記貯蔵室に繋がる前記風路に介装された前記遮蔽壁を開状態として、前記圧縮機および前記送風機を運転することを特徴とする。
【００１０】
また、本発明の冷蔵庫では、前記貯蔵室は、複数の小貯蔵室に区切られ、前記遮蔽壁は、各々の前記小貯蔵室と前記送風機との間に配置され、前記温度センサは、前記小貯蔵室に個別に配置され、前記制御装置は、前記貯蔵室の前記庫内温度又は前記小貯蔵室に個別に配置されたセンサ温度の平均がオフ設定温度よりも低い場合は前記圧縮機および前記送風機を停止し、前記庫内温度又は前記小貯蔵室に個別に配置されたセンサ温度の平均が前記オン設定温度よりも高い場合は前記圧縮機および前記送風機を運転し、前記温度センサが検知した何れかの前記小貯蔵室の前記庫内温度が、前記第１オン設定温度よりも高ければ、前記何れかの前記小貯蔵室に繋がる前記遮蔽壁を開状態として、前記圧縮機および前記送風機を運転することを特徴とする。
【００１１】
また、本発明の冷蔵庫では、前記制御装置は、前記貯蔵室の平均庫内温度が前記オン設定温度よりも低い場合でも、前記温度センサが検知した何れかの前記小貯蔵室の前記庫内温度が、前記第１オン設定温度よりも高ければ、前記何れかの前記小貯蔵室に繋がる前記遮蔽壁を開状態として、前記圧縮機および前記送風機を運転することを特徴とする。
【００１２】
また、本発明の冷蔵庫では、前記制御装置は、前記温度センサが検知した何れかの前記小貯蔵室の前記庫内温度が、前記第１オン設定温度よりも高く設定された第２設定温度よりも高い場合、前記オフ設定温度を低温側に設定し、前記何れかの前記小貯蔵室の前記庫内温度が、低温側に設定された前記オフ設定温度よりも低くなるまで、前記何れかの前記小貯蔵室に前記空気を送風することを特徴とする。
【００１３】
また、本発明の冷蔵庫では、前記遮蔽壁を駆動する遮蔽装置を更に具備し、前記遮蔽装置は、円周方向に沿ってスライド溝が形成された回転プレートと、前記スライド溝に係合する移動軸が形成されて前記遮蔽壁に回転可能に連結されたカムと、前記回転プレートを回転するモータと、を有することを特徴とする。
【００１４】
また、本発明の冷蔵庫では、前記何れかの前記小貯蔵室に繋がる前記遮蔽壁を開状態とする際には、その他の前記遮蔽壁を閉状態とすることを特徴とする。
【００１５】
また、本発明の冷蔵庫では、前記遮蔽壁は、各々の前記貯蔵室と前記送風機との間に配置されることを特徴とする。
【発明の効果】
【００１６】
本発明の冷蔵庫は、複数の貯蔵室と、前記貯蔵室に送風される空気を冷却する冷凍サイクルの冷却器と、前記空気を前記貯蔵室に向けて送風する送風機と、前記送風機から送風される前記空気が通過する風路と、前記風路を遮蔽する可動式の遮蔽壁と、前記貯蔵室の庫内温度を検知する温度センサと、前記温度センサの出力に基づいて、前記冷凍サイクル、前記送風機、前記遮蔽壁を制御する制御装置と、を備え、前記制御装置は、前記貯蔵室の前記庫内温度がオフ設定温度よりも低い場合は前記冷凍サイクルの圧縮機および前記送風機を停止し、前記庫内温度がオン設定温度よりも高い場合は前記圧縮機および前記送風機を運転し、前記温度センサが検知した何れかの前記貯蔵室の前記庫内温度が、前記オン設定温度よりも高く設定された第１オン設定温度よりも高ければ、前記何れかの前記貯蔵室に繋がる前記風路に介装された前記遮蔽壁を開状態として、前記圧縮機および前記送風機を運転することを特徴とする。これにより、本発明の冷蔵庫によれば、貯蔵室を選択的かつ集中的に冷却することができる。例えば、ユーザが冷蔵室等の貯蔵室に高温の被貯蔵物を収納した場合、その冷蔵室に繋がる遮蔽装置を開状態とし、冷凍サイクルの圧縮機および送風機を運転することで、冷蔵室に集中的に冷気を供給し、被貯蔵物を冷却することができる。即ち、第１貯蔵室、第２貯蔵室、第３貯蔵室および第４貯蔵室の様に、複数の貯蔵室がある冷蔵庫においても、貯蔵室を複数の小貯蔵室に分けた時と同様な制御が出来る。
【００１７】
また、本発明の冷蔵庫では、前記貯蔵室は、複数の小貯蔵室に区切られ、前記遮蔽壁は、各々の前記小貯蔵室と前記送風機との間に配置され、前記温度センサは、前記小貯蔵室に個別に配置され、前記制御装置は、前記貯蔵室の前記庫内温度又は前記小貯蔵室に個別に配置されたセンサ温度の平均がオフ設定温度よりも低い場合は前記圧縮機および前記送風機を停止し、前記庫内温度又は前記小貯蔵室に個別に配置されたセンサ温度の平均が前記オン設定温度よりも高い場合は前記圧縮機および前記送風機を運転し、前記温度センサが検知した何れかの前記小貯蔵室の前記庫内温度が、前記第１オン設定温度よりも高ければ、前記何れかの前記小貯蔵室に繋がる前記遮蔽壁を開状態として、前記圧縮機および前記送風機を運転することを特徴とする。これにより、本発明の冷蔵庫によれば、貯蔵室を区画形成した小貯蔵室を選択的かつ集中的に冷却することができる。具体的には、ユーザが小貯蔵室に高温の被貯蔵物を収納した場合、その小貯蔵室に繋がる遮蔽装置を開状態とし、冷凍サイクルの圧縮機および送風機を運転することで、その小貯蔵室に集中的に冷気を供給し、被貯蔵物を冷却することができる。
【００１８】
また、本発明の冷蔵庫では、前記制御装置は、前記貯蔵室の平均庫内温度が前記オン設定温度よりも低い場合でも、前記温度センサが検知した何れかの前記小貯蔵室の前記庫内温度が、前記第１オン設定温度よりも高ければ、前記何れかの前記小貯蔵室に繋がる前記遮蔽壁を開状態として、前記圧縮機および前記送風機を運転することを特徴とする。これにより、本発明の冷蔵庫によれば、貯蔵室の平均庫内温度がオン設定温度よりも低い場合でも、高温の被貯蔵物が収納された小貯蔵室を集中的に冷却することができる。
【００１９】
また、本発明の冷蔵庫では、前記制御装置は、前記温度センサが検知した何れかの前記小貯蔵室の前記庫内温度が、前記第１オン設定温度よりも高く設定された第２設定温度よりも高い場合、前記オフ設定温度を低温側に設定し、前記何れかの前記小貯蔵室の前記庫内温度が、低温側に設定された前記オフ設定温度よりも低くなるまで、前記何れかの前記小貯蔵室に前記空気を送風することを特徴とする。これにより、本発明の冷蔵庫によれば、オフ設定温度を引き下げて冷却運転を行うことで、小貯蔵室をより効果的に冷却することができる。
【００２０】
また、本発明の冷蔵庫では、前記遮蔽壁を駆動する遮蔽装置を更に具備し、前記遮蔽装置は、円周方向に沿ってスライド溝が形成された回転プレートと、前記スライド溝に係合する移動軸が形成されて前記遮蔽壁に回転可能に連結されたカムと、前記回転プレートを回転するモータと、を有することを特徴とする。これにより、本発明の冷蔵庫によれば、簡素な構成で遮蔽壁を開閉させることが出来る。  
【００２１】
また、本発明の冷蔵庫では、前記何れかの前記小貯蔵室に繋がる前記遮蔽壁を開状態とする際には、その他の前記遮蔽壁を閉状態とすることを特徴とする。これにより、本発明の冷蔵庫によれば、その他の前記遮蔽壁を閉状態とすることで、冷却対象となる小貯蔵室を集中的に冷却することができる。
【００２２】
また、本発明の冷蔵庫では、前記遮蔽壁は、各々の前記貯蔵室と前記送風機との間に配置されることを特徴とする。これにより、本発明の冷蔵庫によれば、冷蔵室等の貯蔵室を選択的に集中して冷却することができる。
【図面の簡単な説明】
【００２３】
【図１】本発明の実施形態に係る冷蔵庫の正面外観図である。
【図２】本発明の実施形態に係る冷蔵庫の概略構造を示す側方断面図である。
【図３】本発明の実施形態に係る冷蔵庫を示す図であり、冷却室の近傍を示す拡大側方断面図である。
【図４】本発明の実施形態に係る冷蔵庫が備える遮蔽装置を示す図であり、（Ａ）は遮蔽装置を示す分解斜視図であり、（Ｂ）はカムを示す斜視図である。
【図５】本発明の実施形態に係る冷蔵庫が備える遮蔽装置を示す図であり、（Ａ）は遮蔽装置を部分的に示す分解斜視図であり、（Ｂ）はカムが収納される構成を示す分解斜視図である。
【図６】本発明の実施形態に係る冷蔵庫が備える遮蔽装置を示す図であり、（Ａ）は各遮蔽壁が開状態とされた遮蔽装置を示し、（Ｂ）は各遮蔽壁が閉状態とされた遮蔽装置を示す。
【図７】本発明の実施形態に係る冷蔵庫の冷凍室供給風路を前方から見た図である。
【図８】本発明の実施形態に係る冷蔵庫の接続構成を示すブロック図である。
【図９】本発明の実施形態に係る冷蔵庫の冷却動作を示すフローチャートである。
【図１０】本発明の実施形態に係る冷蔵庫の冷却動作において、上段右側冷凍室の冷却を示すフローチャートである。
【図１１】本発明の実施形態に係る冷蔵庫の冷却動作において、上段右側冷凍室を冷却する際の風路を示す図である。
【図１２】本発明の実施形態に係る冷蔵庫の冷却動作において、下段右側冷凍室の冷却を示すフローチャートである。
【図１３】本発明の実施形態に係る冷蔵庫の冷却動作において、下段右側冷凍室を冷却する際の風路を示す図である。
【図１４】本発明の実施形態に係る冷蔵庫の冷却動作において、上段左側冷凍室の冷却を示すフローチャートである。
【図１５】本発明の実施形態に係る冷蔵庫の冷却動作において、上段左側冷凍室を冷却する際の風路を示す図である。
【図１６】本発明の実施形態に係る冷蔵庫の冷却動作において、下段左側冷凍室の冷却を示すフローチャートである。
【図１７】本発明の実施形態に係る冷蔵庫の冷却動作において、下段左側冷凍室を冷却する際の風路を示す図である。
【発明を実施するための形態】
【００２４】
以下、本発明の実施形態に係る冷蔵庫１０を図面に基づき詳細に説明する。以下の説明では、同一の部材には原則的に同一の符号を付し、繰り返しの説明は省略する。更に以下の説明では、上下前後左右の各方向を適宜用いるが、左右とは冷蔵庫１０を前方から見た場合の左右を示している。
【００２５】
図１は、本形態の冷蔵庫１０の概略構造を示す正面外観図である。図１に示すように、冷蔵庫１０は、本体としての断熱箱体１１を備え、この断熱箱体１１の内部に食品等を貯蔵する貯蔵室を形成している。この貯蔵室としては、最上段が冷蔵室１５、その下段が冷凍室１７、そして最下段が野菜室２０である。
【００２６】
冷凍室１７は、小貯蔵室である上段右側冷凍室１７１、下段右側冷凍室１７２、下段左側冷凍室１７３および上段左側冷凍室１７４に区切られている。上段右側冷凍室１７１、下段右側冷凍室１７２、下段左側冷凍室１７３および上段左側冷凍室１７４は、合成樹脂から成る板状の庫内区画壁１８で略十字状に区切られる。以下の説明では、上段右側冷凍室１７１、下段右側冷凍室１７２、下段左側冷凍室１７３および上段左側冷凍室１７４を、単に小冷凍室と略称することもある。
【００２７】
断熱箱体１１の前面は開口しており、前記各貯蔵室に対応した開口には、断熱扉２１等が開閉自在に設けられている。具体的には、断熱扉２１は、冷蔵室１５の前面を左右方向に分割して塞ぐもので、断熱扉２１の幅方向における外側上下端部が断熱箱体１１に回転自在に取り付けられている。
【００２８】
また、冷凍室１７の前面開口は断熱扉２３で閉鎖され、野菜室２０の前面開口は断熱扉２５で閉鎖されている。断熱扉２３および断熱扉２５としては、引出式扉および回転式扉の何れも採用できる。
【００２９】
図２は、冷蔵庫１０の概略構造を示す側方断面図である。冷蔵庫１０の本体である断熱箱体１１は、前面が開口する鋼板製の外箱１２と、この外箱１２内に間隙を持たせて配設され、前面が開口する合成樹脂製の内箱１３とから構成されている。外箱１２と内箱１３との間隙には、発泡ポリウレタン製の断熱材１４が充填発泡されている。尚、上記した断熱扉２１等も、断熱箱体１１と同様の断熱構造を採用している。
【００３０】
冷蔵室１５と、その下段に位置する冷凍室１７とは、断熱仕切壁４２によって仕切られている。そして、冷凍室１７と野菜室２０との間は、断熱仕切壁４３によって区分けされている。
【００３１】
冷蔵室１５の背面には、合成樹脂製の仕切体６５で区画され、冷蔵室１５へと冷気を供給する冷蔵室供給風路２９が形成されている。仕切体６５には、冷蔵室１５に冷気を流す吹出口３３が形成されている。
【００３２】
冷凍室１７の奥側には、冷却器４５で冷却された冷気を冷凍室１７へと流す冷凍室供給風路３１が形成されている。冷凍室供給風路３１の更に奥側には、冷却室２６が形成されており、その内部には、庫内を循環する空気を冷却するための蒸発器である冷却器４５が配置されている。冷凍室供給風路３１は、前面カバー６７と仕切体６６とで前後方向から囲まれた空間である。
【００３３】
冷却器４５は、圧縮機４４、図示しない放熱器、図示しない膨張手段であるキャピラリーチューブに冷媒配管を介して接続されており、蒸気圧縮式の冷凍サイクル回路を構成する。
【００３４】
図３は、冷蔵庫１０の冷却室２６付近の構造を示す側方断面図である。冷却室２６は、断熱箱体１１の内部で、冷凍室供給風路３１の奥側に設けられている。冷却室２６と冷凍室１７との間は、合成樹脂製の仕切体６６によって仕切られている。
【００３５】
冷却室２６の前方に形成される冷凍室供給風路３１は、冷却室２６とその前方に組み付けられる合成樹脂製の前面カバー６７との間に形成された空間であり、冷却器４５で冷却された冷気を冷凍室１７に流す風路となる。前面カバー６７には、冷凍室１７に冷気を吹き出す開口である吹出口３４が形成されている。
【００３６】
冷凍室１７の下部背面には、冷凍室１７から冷却室２６へと空気を戻す戻り口３８が形成されている。そして、冷却室２６の下方には、この戻り口３８につながり、各貯蔵室からの帰還冷気を冷却室２６の内部へと吸入する、戻り口２８が形成されている。戻り口２８には、野菜室２０の戻り口３９（図２参照）および野菜室帰還風路３７を経由して帰還する冷気も流入する。
【００３７】
冷却器４５の下方には、冷却器４５に付着した霜を融かして除去する除霜手段として、除霜ヒータ４６が設けられている。除霜ヒータ４６は、電気抵抗加熱式のヒータである。
【００３８】
冷却室２６の上部には、各貯蔵室につながる開口である送風口２７が形成されている。送風口２７は、冷却器４５で冷却された冷気を流す開口であり、冷却室２６と、冷蔵室供給風路２９および冷凍室供給風路３１とを連通させる。送風口２７には、前方から、冷凍室１７等に向けて冷気を送り出す送風機４７が配設されている。
【００３９】
冷却室２６の送風口２７の外側には、送風口２７からつながる風路を適宜塞ぐための遮蔽装置７０が設けられている。遮蔽装置７０は、前方から前面カバー６７で覆われている。遮蔽装置７０の具体的な構成は後述する。
【００４０】
ここで、図３には図示しないが、冷蔵室供給風路２９にダンパを介装しても良い。このようにすることで、遮蔽装置７０とダンパとで、各貯蔵室に好適に冷気を送風することができる。
【００４１】
図４を参照して、遮蔽装置７０の構成を説明する。図４（Ａ）は遮蔽装置７０の分解斜視図であり、図４（Ｂ）はカム６１を示す斜視図である。
【００４２】
図４（Ａ）を参照して、遮蔽装置７０は、遮蔽壁７１と、支持基体６３と、回転プレート７３と、遮蔽壁駆動機構６０と、を主に具備している。
【００４３】
遮蔽装置７０は送風機４７で送風された冷気の風路を遮蔽する装置である。遮蔽装置７０を開状態とすることで冷却室２６と各貯蔵室とをつなぐ風路を連通させ、遮蔽装置７０を閉状態とすることで風路を遮断する。
【００４４】
送風機４７は、ビスなどの締結手段を介して、支持基体６３の後面中心部に配設されている。送風機４７は、例えば、ターボファンなどの遠心ファンと、この遠心ファンを回転させる送風モータとを具備しており、半径方向外側に向かって冷気を送風する。
【００４５】
遮蔽壁７１は、矩形状の合成樹脂からなる板状部材であり、回転プレート７３の外縁の接線方向に沿う長辺を有している。遮蔽壁７１は、支持基体６３の周縁部付近に、回動可能に取り付けられている。遮蔽壁７１は、複数（本実施形態では４）が配設されている。遮蔽壁７１は、送風機４７で送風される冷気が流通する経路に配置され、風路を適宜遮蔽する。
【００４６】
遮蔽壁７１の半径方向内側には枠状部８３が隣接されている。枠状部８３は枠状に成形された合成樹脂から成り、送風機４７を取り囲むように、支持基体６３の後面に配置されている。枠状部８３は遮蔽壁７１に対応して配置され、遮蔽壁７１が枠状部８３の開口を塞ぐことで、風路が閉鎖される。
【００４７】
上記した遮蔽壁７１の開閉動作を行う遮蔽壁駆動機構６０は、回転プレート７３と、カム６１と、回転プレート７３を回転させる図示しない駆動モータを有している。
【００４８】
回転プレート７３は、後方から見て略円盤形状の形状を呈し、支持基体６３に回転自在に配設されている。回転プレート７３には、遮蔽壁７１を回動させるためのスライド溝８０が形成されている。スライド溝８０は、回転プレート７３の後面に、リブで囲まれる有底溝として形成されている。後方から回転プレート７３を見た場合、スライド溝８０は、円周方向に沿って蛇行形成されている。回転プレート７３の周縁部にはトルクを伝達するためのギア溝が形成されている。制御装置５０が、駆動モータを駆動して回転プレート７３を回転させることで、遮蔽壁７１が開閉動作する。
【００４９】
図４（Ｂ）を参照して、カム６１は、合成樹脂から成る扁平な直方体形状の部材である。カム６１の右方端を後方に向かって突出させることで、回動連結部４８が形成されている。回動連結部４８には、後述するピン６９を挿通可能な孔部が形成されている。また、カム６１の左端側の前面から略円柱状に突出する移動軸７６が形成されている。移動軸７６は、上記した回転プレート７３のスライド溝８０に係合し、使用状況下に於いてスライド溝８０と摺動する。この摺動を可能にするため、移動軸７６の直径は、スライド溝８０の半径方向の幅と同程度か若干短く設定されている。
【００５０】
図５を参照して、遮蔽壁７１、支持基体６３およびカム６１の関連構成を説明する。図５（Ａ）は、遮蔽壁７１、支持基体６３およびカム６１を右側後方から見た分解斜視図であり、図５（Ｂ）は、回動連結部６８およびカム６１を右側前方から見た分解斜視図である。
【００５１】
図５（Ａ）を参照して、遮蔽壁７１は、遮蔽壁７１の基端部から傾斜して突出する回動連結部６８が形成されている。回動連結部６８には、ピン６９を挿通することが可能な孔部が形成されている。また、遮蔽壁７１の上下両側面の前端部には、略円柱状に突出する回動連結部６４が形成されている。回動連結部６４は、枠状部８３の内壁に形成された筒状の凹状部８５に挿入される。係る構成により、遮蔽壁７１は、回動可能な状態で支持基体６３に備えられる。
【００５２】
支持基体６３を矩形状に貫通することで貫通孔８６が形成されている。貫通孔８６には、後方から遮蔽壁７１の回動連結部６８が挿入される。カム６１の回動連結部４８も、前方から貫通孔８６に挿入される。遮蔽壁７１の回動連結部６８の孔部、および、カム６１の回動連結部４８の孔部には、ピン６９が挿入される。係る構成により、支持基体６３を挟んで、遮蔽壁７１とカム６１とは回動可能に接続される。
【００５３】
図５（Ｂ）を参照して、支持基体６３の前面には、カム収納部６２が形成されている。カム収納部６２はリブで囲まれる矩形状の領域であり、カム収納部６２の内部に上記した貫通孔８６が形成されている。カム６１は、カム収納部６２の内部に収納されてスライドする。カム収納部６２の内部でカム６１がスライドする方向は、ここでは左右方向であり、換言すると図４（Ａ）に示した回転プレート７３の半径方向である。
【００５４】
上記のように構成することにより、駆動モータを駆動して回転プレート７３を回転させることで、移動軸７６がスライド溝８０内を摺動する。これによってカム６１はカム収納部６２内をスライドする。カム６１をスライドさせることで、遮蔽壁７１をピン６９周りに回動させることが出来る。具体的には、カム６１を支持基体６３の周縁部側にスライドさせると、遮蔽壁７１は回動連結部６４を回動中心として、起立状態となるように回動し、遮蔽壁７１は支持基体６３の主面に対して直交した状態となる。一方、カム６１を支持基体６３の中心側にスライドさせると、遮蔽壁７１は回動連結部６４を回動中心として、横臥状態となるように回動し、遮蔽壁７１は支持基体６３の主面に対して略平行な状態となる。
【００５５】
したがって、スライド溝８０を回転プレート７３の周縁部側に形成すれば、遮蔽壁７１を閉状態とすることができる。反対にスライド溝８０を回転プレート７３の中心側に形成すれば、遮蔽壁７１を開状態とすることができる。この原理を利用して、スライド溝８０の蛇行形状を選択すれば、遮蔽壁７１の開閉状態を任意に設定することができる。これによって、複雑な構成を採用せずに、遮蔽壁７１を全開状態としたり、全閉状態としたりできる。
【００５６】
図６を参照して、遮蔽装置７０が送風機４７に繋がる風路を開閉する構成を説明する。図６（Ａ）は全開状態の遮蔽装置７０を示し、図６（Ｂ）は全閉状態の遮蔽装置７０を示す。
【００５７】
図６（Ａ）は全開状態の遮蔽装置７０を前方から見た図である。遮蔽装置７０は、上記した遮蔽壁７１として、上段右側遮蔽壁７１１、下段右側遮蔽壁７１２、下段左側遮蔽壁７１３および上段左側遮蔽壁７１４を有している。
【００５８】
ここでは、上段右側遮蔽壁７１１ないし上段左側遮蔽壁７１４は、横臥状態とされている。即ち、上段右側遮蔽壁７１１ないし上段左側遮蔽壁７１４は、図４（Ａ）に示した支持基体６３の主面に対して略平行となるように横臥している状態となり、送風機４７が送風する空気を遮蔽しない。よって、送風機４７が送風する空気は、上段右側遮蔽壁７１１ないし上段左側遮蔽壁７１４で遮られることなく、周囲に向かって送風される。
【００５９】
図６（Ｂ）は全閉状態の遮蔽装置７０を前方から見た図である。ここでは、上段右側遮蔽壁７１１ないし上段左側遮蔽壁７１４は、直立状態とされている。即ち、上段右側遮蔽壁７１１ないし上段左側遮蔽壁７１４は、図４（Ａ）に示した支持基体６３の主面に対して直立している状態となり、送風機４７が送風する空気を遮蔽する。よって、送風機４７が送風する空気は、上段右側遮蔽壁７１１ないし上段左側遮蔽壁７１４で遮られ、周囲に向かって送風されない。
【００６０】
図７は、上記した冷凍室供給風路３１を前方から見た図である。図３に示した冷凍室供給風路３１を送風路仕切壁４９で区切ることで、上段右側風路３１１ないし上段左側風路３１４が形成されている。
【００６１】
上段右側風路３１１は、吹出口３４１を経由して、送風機４７と上段右側冷凍室１７１とを繋ぐ風路である。上段右側遮蔽壁７１１を開状態にすることで上段右側風路３１１を空気が流れる。
【００６２】
下段右側風路３１２は、吹出口３４２を経由して、送風機４７と下段右側冷凍室１７２とを繋ぐ風路である。下段右側遮蔽壁７１２を開状態にすることで下段右側風路３１２を空気が流れる。
【００６３】
下段左側風路３１３は、吹出口３４３を経由して、送風機４７と下段左側冷凍室１７３とを繋ぐ風路である。下段左側遮蔽壁７１３を開状態にすることで下段左側風路３１３を空気が流れる。
【００６４】
上段左側風路３１４は、吹出口３４４を経由して、送風機４７と上段左側冷凍室１７４とを繋ぐ風路である。上段左側遮蔽壁７１４を開状態にすることで上段左側風路３１４を空気が流れる。
【００６５】
また、各小貯蔵室には個別に温度センサが配設されている。具体的には、上段右側冷凍室１７１の内部には上段右側温度センサ５０１が配設され、下段右側冷凍室１７２には下段右側温度センサ５０２が配設されている。また、下段左側冷凍室１７３には下段左側温度センサ５０３が配設され、上段左側冷凍室１７４には上段左側温度センサ５０４が配設されている。
【００６６】
図８は冷蔵庫１０の接続構成を示すブロック図である。冷蔵庫１０は、ＣＰＵである制御装置５０、上段右側温度センサ５０１ないし上段左側温度センサ５０４、タイマ９２、圧縮機４４、送風機４７、モータ５１および除霜ヒータ４６を有している。上段右側温度センサ５０１ないし上段左側温度センサ５０４およびタイマ９２は、制御装置５０の入力側端子に接続されている。圧縮機４４、送風機４７、モータ５１および除霜ヒータ４６は、制御装置５０の出力側端子に接続されている。
【００６７】
上段右側温度センサ５０１ないし上段左側温度センサ５０４は、図７に示した上段右側冷凍室１７１ないし上段左側遮蔽壁７１４の庫内温度を測定する。具体的には、上段右側温度センサ５０１は上段右側冷凍室１７１の庫内温度を測定し、その庫内温度を示す情報を制御装置５０に伝送する。下段右側温度センサ５０２は下段右側冷凍室１７２の庫内温度を測定し、その庫内温度を示す情報を制御装置５０に伝送する。下段左側温度センサ５０３は下段左側冷凍室１７３の庫内温度を測定し、その庫内温度を示す情報を制御装置５０に伝送する。上段左側温度センサ５０４は上段左側冷凍室１７４の庫内温度を測定し、その庫内温度を示す情報を制御装置５０に伝送する。
【００６８】
タイマ９２は、冷蔵室１５、上段右側冷凍室１７１ないし上段左側冷凍室１７４、および、野菜室２０を冷却する冷却時間や除霜ヒータ４６の運転時間等を計測し、その時間を示す情報を制御装置５０に伝送する。
【００６９】
圧縮機４４は、制御装置５０からの指示に従い、上記したように、冷凍サイクルで用いられる冷媒を圧縮する。
【００７０】
送風機４７は、制御装置５０からの指示に従い、上記したように、冷凍サイクルの冷却器４５が冷却した冷気を各貯蔵室に向かって送風する。
【００７１】
モータ５１は、制御装置５０からの指示に従い、図４（Ａ）に示した遮蔽装置７０の回転プレート７３を所定角度回転させ、遮蔽装置７０の遮蔽壁７１の開閉動作を駆動する。
【００７２】
除霜ヒータ４６は、制御装置５０からの指示に従い、通電されることで、冷却室２６の内部の空気を暖める。
【００７３】
図９に示すフローチャートに基づいて、上記した各図も参照しつつ、図７に示した上段右側冷凍室１７１ないし上段左側冷凍室１７４を効果的に冷却する冷蔵庫１０の運転方法を説明する。
【００７４】
図９は、冷蔵庫１０の運転方法を全体的に示すフローチャートであり、図１０から図１７は各小冷却室を集中的に冷却する方法を示すフローチャートと風路図である。具体的には、図１０および図１１は、上段右側冷凍室１７１を優先的に冷却する方法を示すフローチャートと風路図である。図１２および図１３は、下段右側冷凍室１７２を優先的に冷却する方法を示すフローチャートと風路図である。図１４および図１５は、上段左側冷凍室１７４を優先的に冷却する方法を示すフローチャートと風路図である。図１６および図１７は、下段左側冷凍室１７３を優先的に冷却する方法を示すフローチャートと風路図である。
【００７５】
先ず、本実施形態に係る冷蔵庫１０の運転方法を概略的に説明する。冷蔵庫１０が冷凍室１７を冷却する際、制御装置５０は、予め定められたオン設定温度およびオフ設定温度を基準として、圧縮機４４、送風機４７および遮蔽装置７０を制御する。具体的には、冷凍室１７の庫内温度がオン設定温度まで上昇したら、制御装置５０は、圧縮機４４および送風機４７を運転し、遮蔽装置７０を図６（Ａ）に示したような全開状態とする。一方、冷凍室１７の庫内温度がオフ設定温度まで下降したら、制御装置５０は、圧縮機４４および送風機４７の運転を停止する。係る冷却制御により、冷凍室１７は、所定の冷凍温度帯域に冷却される。
【００７６】
更に、本実施形態では、図７を参照して、小貯蔵室である上段右側冷凍室１７１ないし上段左側冷凍室１７４の庫内温度を個別に測定し、高温となった小貯蔵室を優先的に冷却している。このようにすることで、上段右側冷凍室１７１ないし上段左側冷凍室１７４の何れかに高温の食品等の被貯蔵物が収納された場合でも、その被貯蔵物を効果的に冷却することができる。
【００７７】
ここで、冷蔵庫１０の運転方法を説明する際に使用する各設定温度を説明する。以下では、第１オン設定温度ないし第５オン設定温度、第１オフ設定温度ないし第５オフ設定温度を使用する。
【００７８】
第１オン設定温度および第１オフ設定温度は、冷凍室１７を全体的に冷却運転する際に参照する設定温度である。
【００７９】
第２オン設定温度および第２オフ設定温度は、上段右側冷凍室１７１の庫内温度を検知する上段右側温度センサ５０１の設定値である。換言すると、第２オン設定温度および第２オフ設定温度は、上段右側冷凍室１７１を冷却運転する際に参照する設定温度である。
【００８０】
第３オン設定温度および第３オフ設定温度は、下段右側冷凍室１７２の庫内温度を検知する下段右側温度センサ５０２の設定値である。換言すると、第３オン設定温度および第３オフ設定温度は、下段右側冷凍室１７２を冷却運転する際に参照する設定温度である。
【００８１】
第４オン設定温度および第４オフ設定温度は、上段左側冷凍室１７４の庫内温度を検知する上段左側温度センサ５０４の設定値である。換言すると、第４オン設定温度および第４オフ設定温度は、上段左側冷凍室１７４を冷却運転する際に参照する設定温度である。
【００８２】
第５オン設定温度および第５オフ設定温度は、下段左側冷凍室１７３の庫内温度を検知する下段左側温度センサ５０３の設定値である。換言すると、第５オン設定温度および第５オフ設定温度は、下段左側冷凍室１７３を冷却運転する際に参照する設定温度である。
【００８３】
ここで、第１オン設定温度ないし第５オン設定温度の初期値は、例えば−１６℃である。また、第１オフ設定温度ないし第５オフ設定温度の初期値は、例えば−２０℃である。
【００８４】
また、以下の説明では、庫内の温度環境を示すフラグＦ１ないしＦ５を用いる。
【００８５】
Ｆ１は、冷凍室１７全体が冷却運転を要しているか否かを判断するフラグである。Ｆ１に１がセットされていれば、冷凍室１７を全体的に冷却するべく、制御装置５０は、圧縮機４４および送風機４７を運転し、図６（Ａ）に示すように遮蔽装置７０を全開状態とする。一方、Ｆ１に０がセットされていれば、冷凍室１７を全体的に冷却運転する必要は無いので、制御装置５０は、圧縮機４４および送風機４７を停止し、図６（Ｂ）に示すように遮蔽装置７０を全閉状態とする。
【００８６】
Ｆ２は上段右側冷凍室１７１が急速冷却を要しているか否かを示すフラグである。Ｆ３は下段右側冷凍室１７２が急速冷却を要しているか否かを示すフラグである。Ｆ４は上段左側冷凍室１７４が急速冷却を要しているか否かを示すフラグである。Ｆ５は下段左側冷凍室１７３が急速冷却を要しているか否かを示すフラグである。これらのフラグが０であれば、対応する小冷凍室が急速冷却を要していないことを示す。一方、これらのフラグが１であれば、対応する小冷凍室が急速冷却を要していることを示す。
【００８７】
図９を参照して、ステップＳ１０では、制御装置５０は、通常冷却運転を開始する。即ち、制御装置５０は、冷凍室１７の冷凍室平均温度Ｔ１７が所定の冷凍温度帯域となるように、冷却運転を行う。
【００８８】
具体的には、図７を参照して、上段右側温度センサ５０１で計測した上段右側冷凍室１７１の庫内温度をＴ１７１、下段右側温度センサ５０２で計測した下段右側冷凍室１７２の庫内温度をＴ１７２、下段左側温度センサ５０３で計測した下段左側冷凍室１７３の庫内温度をＴ１７３、上段左側温度センサ５０４で計測した上段左側冷凍室１７４の庫内温度をＴ１７４とした場合、冷凍室１７の平均温度Ｔ１７は次の式１で算出される。
式１：Ｔ１７＝（Ｔ１７１＋Ｔ１７２＋Ｔ１７３＋Ｔ１７４）／４
【００８９】
制御装置５０は、冷凍室１７の平均温度Ｔ１７が第１オン設定温度まで上昇したら、圧縮機４４および送風機４７を運転する。更に、制御装置５０は、モータで図４に示す回転プレート７３を回転することで、遮蔽装置７０を図６（Ａ）に示したような全開状態とする。これにより、冷凍室１７が全体的に冷却される。一方、冷凍室１７の庫内温度が第１オフ設定温度まで下降したら、制御装置５０は、圧縮機４４および送風機４７の運転を停止する。
【００９０】
ステップＳ１１では、何れかの小冷凍室の庫内温度が、第１オン設定温度に６℃を加算した温度以上であるか否かを判断する。
【００９１】
具体的には、以下の式２ないし式５の何れかが満たされているか否かを判断する。
式２：Ｔ１７１≧第２オン設定温度＋６ｄｅｇ
式３：Ｔ１７２≧第３オン設定温度＋６ｄｅｇ
式４：Ｔ１７４≧第４オン設定温度＋６ｄｅｇ
式５：Ｔ１７３≧第５オン設定温度＋６ｄｅｇ
【００９２】
上記した式２ないし式５の何れかが満たされていれば、即ちステップＳ１１がＹＥＳであれば、制御装置５０は、ステップＳ１２に移行する。一方、式２ないし式５の何れも満たされていなければ、即ちステップＳ１１がＮＯであれば、制御装置５０は、ステップＳ１３に移行する。
【００９３】
ステップＳ１２では、小冷凍室の何れかが高温に達しているので、制御装置５０は、急速冷却モードを設定し、急速冷却時間として１５０分を設定する。
【００９４】
ステップＳ１３では、制御装置５０は、急速冷却モードが設定されているか否かを判断する。急速冷却モードが設定されていれば、即ちステップＳ１３がＹＥＳであれば、制御装置５０は、ステップＳ１４で１５０分から減算を行う。制御装置５０は、急速冷却時間が１５０分を経過するまで、即ちステップＳ１５がＹＥＳとなるまで、以下に説明する急速冷却を行う。一方、急速冷却モードが設定されてなければ、即ちステップＳ１３がＮＯであれば、制御装置５０は、ステップＳ１８に移行する。
【００９５】
ステップＳ１５で、急速冷却時間が１５０分経過していない間は、即ちステップＳ１５がＮＯの間は、制御装置５０は、ステップＳ１６で、フラグであるＦ２、Ｆ３、Ｆ４およびＦ５の全てに０がセットされているか否かを判断する。一方、急速冷却時間が１５０分経過すれば、即ちステップＳ１５がＹＥＳであれば、制御装置５０は、ステップＳ１７に移行する。
【００９６】
ステップＳ１６で、Ｆ２、Ｆ３、Ｆ４およびＦ５の全てに０がセットされていれば、即ちステップＳ１６がＹＥＳであれば、制御装置５０は、ステップＳ１７に移行する。一方、Ｆ２、Ｆ３、Ｆ４およびＦ５の何れかに０がセットされていなければ、即ちステップＳ１６がＮＯであれば、制御装置５０は、ステップＳ２４に移行する。
【００９７】
ステップＳ２４では、制御装置５０は、急速冷却を行うために、第１オフ設定温度を−２８℃に変更し、第１オン設定温度を−２６℃に変更する。
【００９８】
ステップＳ１７では、所定時間が経過したこと、または、各小冷凍室の庫内温度が一定以下まで冷却されたことにより、制御装置５０は、急速冷却モードを解除する。更に、制御装置５０は、フラグであるＦ２、Ｆ３、Ｆ４およびＦ５に０をセットする。また、ステップＳ１７では、制御装置５０は、第１オフ設定温度を通常設定に変更し、第１オン設定温度を通常設定に戻す。更に、ステップＳ１７では、制御装置５０は、全てのオン設定温度および全てのオフ設定温度を、通常の設定に戻す。即ち、第１オン設定温度ないし第５オン設定温度を、−１６℃とする。また、制御装置５０は、第１オフ設定温度ないし第５オフ設定温度を、−２０℃とする。
【００９９】
ステップＳ１８では、何れかの小冷凍室の庫内温度が、各室オン設定温度に２℃を加算した温度以上であるか否かを判断する。
【０１００】
具体的には、以下の式６ないし式９の何れかが満たされているか否かを判断する。
式６：Ｔ１７１≧第２オン設定温度＋２ｄｅｇ
式７：Ｔ１７２≧第３オン設定温度＋２ｄｅｇ
式８：Ｔ１７４≧第４オン設定温度＋２ｄｅｇ
式９：Ｔ１７３≧第５オン設定温度＋２ｄｅｇ
【０１０１】
上記した式６ないし式９の何れかが満たされていれば、即ちステップＳ１８がＹＥＳであれば、制御装置５０は、ステップＳ１９に移行する。一方、式６ないし式９の何れも満たされていなければ、即ちステップＳ１８がＮＯであれば、制御装置５０は、ステップＳ２５に移行する。
【０１０２】
ステップＳ１９では、制御装置５０は、Ｆ１に０がセットされているか否かを判断する。Ｆ１に０がセットされていれば、即ちステップＳ１９がＹＥＳであれば、制御装置５０は、ステップＳ２０に移行する。一方、Ｆ１に０がセットされていなければ、即ちステップＳ１９がＮＯであれば、制御装置５０は、ステップＳ２２に移行する。
【０１０３】
ステップＳ２０では、遮蔽装置７０は、遮蔽壁７１を全閉状態にし、更に、Ｆ１に１をセットする。具体的には、図６（Ｂ）に示すように、遮蔽装置７０は、上段右側遮蔽壁７１１ないし上段左側遮蔽壁７１４の全てを閉状態とする。ステップＳ２０で、上段右側遮蔽壁７１１ないし上段左側遮蔽壁７１４の全てを閉状態とすることで、後述するステップＳ２８ないしステップＳ３１において、冷却対象となる小冷凍室に対してのみ集中的に冷気を送風することができる。
【０１０４】
一方、上記したステップＳ１８がＮＯの場合は、ステップＳ２５で、冷凍室１７の平均庫内温度Ｔ１７が第１オン設定温度以上であるか否かを判断する。平均庫内温度Ｔ１７が第１オン設定温度以上であれば、即ちステップＳ２５がＹＥＳであれば、制御装置５０は、ステップＳ２１に移行する。一方、平均庫内温度Ｔ１７が第１オン設定温度未満であれば、即ちステップＳ２５がＮＯであれば、制御装置５０は、ステップＳ３２に移行する。
【０１０５】
ステップＳ３２では、制御装置５０は、冷凍室１７の平均庫内温度Ｔ１７が第１オフ設定温度以下であるか否かを判断する。
【０１０６】
冷凍室１７の平均庫内温度Ｔ１７が第１オフ設定温度以下であれば、即ちステップＳ３２がＹＥＳであれば、制御装置５０は、ステップＳ３３に移行する。一方、冷凍室１７の平均庫内温度Ｔ１７が第１オフ設定温度以下でなければ、即ちステップＳ３２がＮＯであれば、制御装置５０は、ステップＳ２３に移行する。
【０１０７】
ステップＳ３３では、冷凍室１７が全体的に充分に冷却されているので、制御装置５０は、フラグであるＦ１に０をセットする。また、制御装置５０は、圧縮機４４および送風機４７をオフ状態とする。更に、制御装置５０は、図６（Ｂ）に示すように、遮蔽装置７０の上段右側遮蔽壁７１１ないし上段左側遮蔽壁７１４を閉状態とする。これにより、制御装置５０は、冷凍室１７の冷却運転を中断する。ステップＳ３３が終了したら、制御装置５０は、ステップＳ２３に移行する。
【０１０８】
ステップＳ２１では、図６（Ａ）に示すように、制御装置５０は、遮蔽装置７０の上段右側遮蔽壁７１１ないし上段左側遮蔽壁７１４を全開状態とする。
【０１０９】
ステップＳ２２では、圧縮機４４および送風機４７をオン状態とする。これにより、図２を参照して、冷却器４５が冷却した冷気を送風機４７が送風し、冷凍室１７が冷却される。
【０１１０】
ステップＳ２３では、制御装置５０は、Ｆ１に１がセットされているか否かを判断する。Ｆ１に１がセットされていれば、即ちステップＳ２３がＹＥＳであれば、制御装置５０は、ステップＳ２６に移行する。一方、Ｆ１に１がセットされていなければ、即ちステップＳ２３がＮＯであれば、制御装置５０は、ステップＳ１０に戻る。
【０１１１】
ステップＳ２６では、制御装置５０は、上段右側冷凍室１７１ないし上段左側冷凍室１７４の庫内温度Ｔ１７１ないしＴ１７４の全てが、各オン設定温度以下であるか否かを判断する。
【０１１２】
具体的には、ステップＳ２６では、制御装置５０は、以下の式１０ないし式１３の全てが満たされているか否かを判断する。
式１０：Ｔ１７１≦第２オン設定温度
式１１：Ｔ１７２≦第３オン設定温度
式１２：Ｔ１７４≦第４オン設定温度
式１３：Ｔ１７３≦第５オン設定温度
【０１１３】
式１０ないし式１３の全てが満たされていれば、即ちステップＳ２６がＹＥＳであれば、制御装置５０は、ステップＳ２７に移行する。一方、式１０ないし式１３の全てが満たされている場合でなければ、即ちステップＳ２６がＮＯであれば、制御装置５０は、ステップＳ２８に移行する。
【０１１４】
ステップＳ２７では、制御装置５０は、上段右側遮蔽壁７１１ないし上段左側遮蔽壁７１４の全てを開状態とし、冷凍室１７を全体的に冷却する。更に、制御装置５０は、Ｆ１に０をセットする。その後、制御装置５０は、ステップＳ１０に戻る。
【０１１５】
ステップＳ２８ないしステップＳ３１では、制御装置５０は、各小冷凍室の庫内温度に応じて、上段右側冷凍室１７１ないし上段左側遮蔽壁７１４を冷却する。
【０１１６】
ステップＳ２８ないしステップＳ３１を、図１０ないし図１７を参照して説明する。図１０および図１１は、上段右側冷凍室１７１を集中的に冷却するステップＳ２８を示すフローチャートおよび風路図である。図１２および図１３は、下段右側冷凍室１７２を集中的に冷却するステップＳ２９を示すフローチャートおよび風路図である。図１４および図１５は、上段左側冷凍室１７４を集中的に冷却するステップＳ３０を示すフローチャートおよび風路図である。図１６および図１７は、下段左側冷凍室１７３を集中的に冷却するステップＳ３１を示すフローチャートおよび風路図である。
【０１１７】
ステップＳ２８を、図１０および図１１を参照して詳述する。図１０はステップＳ２８を詳細に示すフローチャートであり、図１１はステップＳ２８に於ける風路構成を示す図である。ステップＳ２８は、上段右側冷凍室１７１を集中的に冷却する。
【０１１８】
図１０を参照して、上記したステップＳ２８は、ステップＳ２８１ないしステップＳ２８８を含んでおり、上段右側遮蔽壁７１１を急速冷却する。
【０１１９】
ステップＳ２８１では、制御装置５０は、Ｆ２に１がセットされているか否かを判断する。Ｆ２はステップＳ２８で急速冷却が必要か否かを判断するフラグであり、Ｆ２に１がセットされていれば急速冷却が必要であり、Ｆ２に０がセットされていれば急速冷却は不要である。Ｆ２に１がセットされていれば、即ちステップＳ２８１がＹＥＳであれば、制御装置５０は、ステップＳ２８２に移行する。一方、Ｆ２に１がセットされていなければ、即ちステップＳ２８１がＮＯであれば、制御装置５０は、ステップＳ２８５に移行する。
【０１２０】
ステップＳ２８２では、制御装置５０は、第２オフ設定温度を−２８℃に設定する。ここで、第２オフ設定温度とは、ステップＳ２８に於ける冷却を行うために設定されるオフ設定温度である。
【０１２１】
ステップＳ２８３では、制御装置５０は、上段右側冷凍室１７１の庫内温度が第２オフ設定温度以下であるか否かを判断する。上段右側冷凍室１７１の庫内温度が第２オフ設定温度以下であれば、即ちステップＳ２８３がＹＥＳであれば、制御装置５０は、ステップＳ２８４に移行する。一方、上段右側冷凍室１７１の庫内温度が第２オフ設定温度以下でなければ、即ちステップＳ２８３がＮＯであれば、制御装置５０は、ステップＳ２９に移行し、上段右側冷凍室１７１の冷却を続行する。
【０１２２】
ステップＳ２８４では、制御装置５０は、上段右側遮蔽壁７１１を閉状態にし、更に、フラグであるＦ２に０をセットし、ステップＳ２８における急速冷却を終了する。
【０１２３】
一方、ステップＳ２８５では、制御装置５０は、上段右側冷凍室１７１の庫内温度が、第２オン設定温度に２℃を加算した温度以上であるか否かを判断する。ここで、第２オン設定温度に２℃を加算した温度が、特許請求の範囲に記載された第１オン設定温度である。上段右側冷凍室１７１の庫内温度が、第２オン設定温度に２℃を加算した温度以上であれば、即ちステップＳ２８５がＹＥＳであれば、制御装置５０は、ステップＳ２８６に移行する。一方、上段右側冷凍室１７１の庫内温度が、第２オン設定温度に２℃を加算した温度以上でなければ、即ちステップＳ２８５がＮＯであれば、制御装置５０は、ステップＳ１０に戻る。
【０１２４】
ここで、ステップＳ２８５では、上段右側冷凍室１７１に対して設定された小貯蔵室オン設定温度である第２オン設定温度に２℃を加算した温度を第１オン設定温度としたが、冷凍室１７全体に対して設定された第１オン設定温度に２℃を加算した温度を第１オン設定温度としても良い。係る事項は、後述する、ステップＳ２９５、ステップＳ３０５、ステップＳ３１５に関しても同様である。
【０１２５】
ステップＳ２８６では、制御装置５０は、上段右側冷凍室１７１の庫内温度が、第２オン設定温度に６℃を加算した温度以上であるか否かを判断する。ここで、第２オン設定温度に６℃を加算した温度が、第２設定温度である。上段右側冷凍室１７１の庫内温度が、第２オン設定温度に６℃を加算した温度以上であれば、即ちステップＳ２８６がＹＥＳであれば、制御装置５０は、ステップＳ２８７に移行する。一方、上段右側冷凍室１７１の庫内温度が、第２オン設定温度に６℃を加算した温度以上でなければ、即ちステップＳ２８６がＮＯであれば、制御装置５０は、ステップＳ２８８に移行する。
【０１２６】
ここで、ステップＳ２８６では、上段右側冷凍室１７１に対して設定された第２オン設定温度に６℃を加算した温度を第２オン設定温度としたが、冷凍室１７全体に対して設定された第１オン設定温度に６℃を加算した温度を第１オン設定温度としても良い。係る事項は、後述する、ステップＳ２９６、ステップＳ３０６、ステップＳ３１６に関しても同様である。
【０１２７】
ステップＳ２８７では、制御装置５０は、フラグであるＦ２に１をセットする。
【０１２８】
ステップＳ２８８では、制御装置５０は、上段右側遮蔽壁７１１を開状態とし、ステップＳ２９に移行する。
【０１２９】
図１１は、ステップＳ２８８における風路構成する図である。ここでは、上段右側遮蔽壁７１１を開状態とする一方、下段右側遮蔽壁７１２ないし上段左側遮蔽壁７１４を閉状態としている。遮蔽装置７０をかかる構成とすることで、送風機４７から送風された冷気を、上段右側風路３１１および吹出口３４１を経由して、上段右側冷凍室１７１に導入できる。従って、ユーザが上段右側冷凍室１７１に高温な被貯蔵物を収納したとしても、上段右側冷凍室１７１を集中的に冷却することで、その被貯蔵物を効果的に冷却できる。
【０１３０】
ステップＳ２９を、図１２および図１３を参照して詳述する。図１２はステップＳ２９を詳細に示すフローチャートであり、図１３はステップＳ２９に於ける風路構成を示す図である。ここで、図１２に示す下段右側冷凍室１７２を冷却する方法は、図１０に示した上段右側遮蔽壁７１１を冷却する方法と同様である。
【０１３１】
図１２を参照して、ステップＳ２９は、ステップＳ２９１ないしステップＳ２９８を含んでおり、下段右側冷凍室１７２を急速冷却する。
【０１３２】
ステップＳ２９１では、制御装置５０は、Ｆ３に１がセットされているか否かを判断する。Ｆ３はステップＳ２９で急速冷却が必要か否かを判断するフラグであり、Ｆ３に１がセットされていれば急速冷却が必要であり、Ｆ３に０がセットされていれば急速冷却は不要である。Ｆ３に１がセットされていれば、即ちステップＳ２９１がＹＥＳであれば、制御装置５０は、ステップＳ２９２に移行する。一方、Ｆ３に１がセットされていなければ、即ちステップＳ２９１がＮＯであれば、制御装置５０は、ステップＳ２９５に移行する。
【０１３３】
ステップＳ２９２では、制御装置５０は、第３オフ設定温度を−２８℃に設定する。ここで、第３オフ設定温度とは、ステップＳ２９に於ける冷却を行うために設定されるオフ設定温度である。
【０１３４】
ステップＳ２９３では、制御装置５０は、下段右側冷凍室１７２の庫内温度が第３オフ設定温度以下であるか否かを判断する。下段右側冷凍室１７２の庫内温度が第３オフ設定温度以下であれば、即ちステップＳ２９３がＹＥＳであれば、制御装置５０は、ステップＳ２９４に移行する。一方、下段右側冷凍室１７２の庫内温度が第３オフ設定温度以下でなければ、即ちステップＳ２９３がＮＯであれば、制御装置５０は、ステップＳ３０に移行し、下段右側冷凍室１７２の冷却を続行する。
【０１３５】
ステップＳ２９４では、制御装置５０は、下段右側冷凍室１７２を閉状態にし、更に、フラグであるＦ３に０をセットし、ステップＳ２９における急速冷却を終了する。
【０１３６】
一方、ステップＳ２９５では、制御装置５０は、下段右側冷凍室１７２の庫内温度が、第３オン設定温度に２℃を加算した温度（第１設定温度）以上であるか否かを判断する。下段右側冷凍室１７２の庫内温度が、第３オン設定温度に２℃を加算した温度以上であれば、即ちステップＳ２９５がＹＥＳであれば、制御装置５０は、ステップＳ２９６に移行する。一方、下段右側冷凍室１７２の庫内温度が、第３オン設定温度に２℃を加算した温度以上でなければ、即ちステップＳ２９５がＮＯであれば、制御装置５０は、ステップＳ１０に戻る。
【０１３７】
ステップＳ２９６では、制御装置５０は、下段右側冷凍室１７２の庫内温度が、第３オン設定温度に６℃を加算した温度（第２設定温度）以上であるか否かを判断する。下段右側冷凍室１７２の庫内温度が、第３オン設定温度に６℃を加算した温度以上であれば、即ちステップＳ２９６がＹＥＳであれば、制御装置５０は、ステップＳ２９７に移行する。一方、下段右側冷凍室１７２の庫内温度が、第３オン設定温度に６℃を加算した温度以上でなければ、即ちステップＳ２９６がＮＯであれば、制御装置５０は、ステップＳ２９８に移行する。
【０１３８】
ステップＳ２９７では、制御装置５０は、フラグであるＦ３に１をセットする。
【０１３９】
ステップＳ２９８では、制御装置５０は、下段右側遮蔽壁７１２を開状態とし、ステップＳ３０に移行する。
【０１４０】
図１３は、上記したステップＳ２９８における風路構成する図である。ここでは、下段右側遮蔽壁７１２を開状態とする一方、上段右側遮蔽壁７１１、下段左側遮蔽壁７１３および上段左側遮蔽壁７１４を閉状態としている。遮蔽装置７０をかかる構成とすることで、送風機４７から送風された冷気を、下段右側風路３１２および吹出口３４２を経由して、下段右側冷凍室１７２に導入できる。従って、ユーザが下段右側冷凍室１７２に高温の被貯蔵物を収納したとしても、下段右側冷凍室１７２を集中的に冷却することで、その被貯蔵物を効果的に冷却できる。
【０１４１】
ステップＳ３０を、図１４および図１５を参照して詳述する。図１４はステップＳ３０を詳細に示すフローチャートであり、図１５はステップＳ３０に於ける風路構成を示す図である。ここで、図１４に示す上段左側冷凍室１７４を冷却する方法は、図１０に示した上段右側遮蔽壁７１１を冷却する方法と同様である。
【０１４２】
図１４を参照して、上記したステップＳ３０は、ステップＳ３０１ないしステップＳ３０８を含んでおり、上段左側冷凍室１７４を急速冷却する。
【０１４３】
ステップＳ３０１では、制御装置５０は、Ｆ４に１がセットされているか否かを判断する。Ｆ４はステップＳ３０で急速冷却が必要か否かを判断するフラグであり、Ｆ４に１がセットされていれば急速冷却が必要であり、Ｆ４に０がセットされていれば急速冷却は不要である。Ｆ４に１がセットされていれば、即ちステップＳ３０１がＹＥＳであれば、制御装置５０は、ステップＳ３０２に移行する。一方、Ｆ４に１がセットされていなければ、即ちステップＳ３０１がＮＯであれば、制御装置５０は、ステップＳ３０５に移行する。
【０１４４】
ステップＳ３０２では、制御装置５０は、第４オフ設定温度を−２８℃に設定する。ここで、第４オフ設定温度とは、ステップＳ３０に於ける冷却を行うために設定されるオフ設定温度である。
【０１４５】
ステップＳ３０３では、制御装置５０は、上段左側冷凍室１７４の庫内温度が第４オフ設定温度以下であるか否かを判断する。上段左側冷凍室１７４の庫内温度が第４オフ設定温度以下であれば、即ちステップＳ３０３がＹＥＳであれば、制御装置５０は、ステップＳ３０４に移行する。一方、上段左側冷凍室１７４の庫内温度が第４オフ設定温度以下でなければ、即ちステップＳ３０３がＮＯであれば、制御装置５０は、ステップＳ３１に移行し、上段左側冷凍室１７４の冷却を続行する。
【０１４６】
ステップＳ３０４では、制御装置５０は、上段左側遮蔽壁７１４を閉状態にし、更に、フラグであるＦ４に０をセットし、ステップＳ３０における急速冷却を終了する。
【０１４７】
一方、ステップＳ３０５では、制御装置５０は、上段左側冷凍室１７４の庫内温度が、第４オン設定温度に２℃を加算した温度（第１設定温度）以上であるか否かを判断する。上段左側冷凍室１７４の庫内温度が、第４オン設定温度に２℃を加算した温度以上であれば、即ちステップＳ３０５がＹＥＳであれば、制御装置５０は、ステップＳ３０６に移行する。一方、上段左側冷凍室１７４の庫内温度が、第４オン設定温度に２℃を加算した温度以上でなければ、即ちステップＳ３０５がＮＯであれば、制御装置５０は、ステップＳ１０に戻る。
【０１４８】
ステップＳ３０６では、制御装置５０は、上段左側冷凍室１７４の庫内温度が、第４オン設定温度に６℃を加算した温度（第２設定温度）以上であるか否かを判断する。上段左側冷凍室１７４の庫内温度が、第４オン設定温度に６℃を加算した温度以上であれば、即ちステップＳ３０６がＹＥＳであれば、制御装置５０は、ステップＳ３０７に移行する。一方、上段左側冷凍室１７４の庫内温度が、第４オン設定温度に６℃を加算した温度以上でなければ、即ちステップＳ３０６がＮＯであれば、制御装置５０は、ステップＳ３０８に移行する。
【０１４９】
ステップＳ３０７では、制御装置５０は、フラグであるＦ４に１をセットする。
【０１５０】
ステップＳ３０８では、制御装置５０は、上段左側遮蔽壁７１４を開状態とし、ステップＳ３１に移行する。
【０１５１】
図１５は、ステップＳ３０８における風路構成する図である。ここでは、上段左側遮蔽壁７１４を開状態とする一方、上段右側遮蔽壁７１１ないし下段左側遮蔽壁７１３を閉状態としている。遮蔽装置７０をかかる構成とすることで、送風機４７から送風された冷気を、上段左側風路３１４および吹出口３４４を経由して、上段左側冷凍室１７４に導入できる。従って、ユーザが上段左側冷凍室１７４に高温な被貯蔵物を収納したとしても、上段左側冷凍室１７４を集中的に冷却することで、その被貯蔵物を効果的に冷却できる。
【０１５２】
ステップＳ３１を、図１６および図１７を参照して詳述する。図１６はステップＳ３１を詳細に示すフローチャートであり、図１７はステップＳ３１に於ける風路構成を示す図である。ここで、図１６に示す下段左側冷凍室１７３を冷却する方法は、図１０に示した上段右側遮蔽壁７１１を冷却する方法と同様である。
【０１５３】
図１６を参照して、上記したステップＳ３１は、ステップＳ３１１ないしステップＳ３１８を含んでおり、下段左側冷凍室１７３を急速冷却する。
【０１５４】
ステップＳ３１１では、制御装置５０は、Ｆ５に１がセットされているか否かを判断する。Ｆ５はステップＳ３１で急速冷却が必要か否かを判断するフラグであり、Ｆ５に１がセットされていれば急速冷却が必要であり、Ｆ５に０がセットされていれば急速冷却は不要である。Ｆ５に１がセットされていれば、即ちステップＳ３１１がＹＥＳであれば、制御装置５０は、ステップＳ３１２に移行する。一方、Ｆ５に１がセットされていなければ、即ちステップＳ３１１がＮＯであれば、制御装置５０は、ステップＳ３１５に移行する。
【０１５５】
ステップＳ３１２では、制御装置５０は、第５オフ設定温度を−２８℃に設定する。ここで、第５オフ設定温度とは、ステップＳ３１に於ける冷却を行うために設定されるオフ設定温度である。
【０１５６】
ステップＳ３１３では、制御装置５０は、下段左側冷凍室１７３の庫内温度が第５オフ設定温度以下であるか否かを判断する。下段左側冷凍室１７３の庫内温度が第５オフ設定温度以下であれば、即ちステップＳ３１３がＹＥＳであれば、制御装置５０は、ステップＳ３１４に移行する。一方、下段左側冷凍室１７３の庫内温度が第５オフ設定温度以下でなければ、即ちステップＳ３１３がＮＯであれば、制御装置５０は、ステップＳ２９に移行し、下段左側冷凍室１７３の冷却を続行する。
【０１５７】
ステップＳ３１４では、制御装置５０は、下段左側遮蔽壁７１３を閉状態にし、更に、フラグであるＦ５に０をセットし、ステップＳ３１における急速冷却を終了する。
【０１５８】
一方、ステップＳ３１５では、制御装置５０は、下段左側冷凍室１７３の庫内温度が、第５オン設定温度に２℃を加算した温度（第１設定温度）以上であるか否かを判断する。下段左側冷凍室１７３の庫内温度が、第５オン設定温度に２℃を加算した温度以上であれば、即ちステップＳ３１５がＹＥＳであれば、制御装置５０は、ステップＳ３１６に移行する。一方、下段左側冷凍室１７３の庫内温度が、第５オン設定温度に２℃を加算した温度以上でなければ、即ちステップＳ３１５がＮＯであれば、制御装置５０は、ステップＳ１０に戻る。
【０１５９】
ステップＳ３１６では、制御装置５０は、下段左側冷凍室１７３の庫内温度が、第５オン設定温度に６℃を加算した温度（第２設定温度）以上であるか否かを判断する。下段左側冷凍室１７３の庫内温度が、第５オン設定温度に６℃を加算した温度以上であれば、即ちステップＳ３１６がＹＥＳであれば、制御装置５０は、ステップＳ３１７に移行する。一方、下段左側冷凍室１７３の庫内温度が、第５オン設定温度に６℃を加算した温度以上でなければ、即ちステップＳ３１６がＮＯであれば、制御装置５０は、ステップＳ３１８に移行する。
【０１６０】
ステップＳ３１７では、制御装置５０は、フラグであるＦ５に１をセットする。
【０１６１】
ステップＳ３１８では、制御装置５０は、下段左側遮蔽壁７１３を開状態とし、ステップＳ３１に移行する。
【０１６２】
図１７は、ステップＳ３１８における風路構成する図である。ここでは、下段左側遮蔽壁７１３を開状態とする一方、上段右側遮蔽壁７１１、下段右側遮蔽壁７１２および上段左側遮蔽壁７１４を閉状態としている。遮蔽装置７０をかかる構成とすることで、送風機４７から送風された冷気を、下段左側風路３１３および吹出口３４３を経由して、下段左側冷凍室１７３に導入できる。従って、ユーザが下段左側冷凍室１７３に高温の被貯蔵物を収納したとしても、下段左側冷凍室１７３を集中的に冷却することで、その被貯蔵物を効果的に冷却できる。
【０１６３】
本実施形態によれば、冷凍室１７の平均庫内温度がオン設定温度よりも低い場合でも、小冷凍室である上段右側冷凍室１７１ないし上段左側冷凍室１７４の何れかの庫内温度が一定以上となれば、その小冷凍室を集中的に冷却している。よって、特定の小冷凍室に収納された高温の被貯蔵物を効果的に冷却することができ、他の小冷凍室の庫内温度が上昇してしまうことを抑制できる。
【０１６４】
また、小冷凍室の庫内温度がオン設定温度よりも６℃以上高くなった場合は、オフ設定温度を−２８℃に引き下げて冷却運転を行っている。このようにすることで、小冷凍室を集中的に冷却できる効果を顕著にできる。
【０１６５】
更に本実施形態では、図４に示した遮蔽装置７０で遮蔽壁７１を開閉していることから、簡素な構成で遮蔽壁７１を開閉し、所望の小冷凍室に冷気を効果的に送風することができる。
【０１６６】
本発明は、上記実施形態に限定されるものではなく、その他、本発明の要旨を逸脱しない範囲で、種々の変更実施が可能である。
【０１６７】
例えば、図１を参照して、上記した本実施形態では、冷凍室１７を上段右側冷凍室１７１ないし上段左側冷凍室１７４からなる小冷凍室に区画し、庫内温度の上昇に応じて何れかの小冷凍室を集中的に冷却した。ここで、係る構成を冷蔵室１５に適用することも可能である。即ち、冷蔵室１５を複数の小冷蔵室に区画し、庫内温度の上昇に応じて何れかの小冷蔵室を集中的に冷却することもできる。
【０１６８】
更に、上記した実施形態では、図７に示したように、小貯蔵室である上段右側冷凍室１７１ないし上段左側冷凍室１７４に送風機４７から送風される冷気を遮蔽装置７０で適宜遮蔽したが、各貯蔵室に送風される冷気を遮蔽装置７０で適宜遮蔽することもできる。即ち、上記した遮蔽装置７０の構成および制御方法を、冷蔵室１５、冷凍室１７および野菜室２０に冷気を送風する際に適用できる。具体的には、図１を参照して、冷蔵室１５、冷凍室１７および野菜室２０の夫々に温度センサを配置する。そして、制御装置５０は、温度センサで計測した各貯蔵室の庫内温度が、オン設定温度よりも高く設定された第１オン設定温度よりも高ければ、各貯蔵室に繋がる遮蔽壁を開状態として、圧縮機４４および送風機４７を運転する。一例を挙げると、温度センサで計測した冷蔵室１５の庫内温度が、冷蔵室１５のオン設定温度よりも高く設定された第１オン設定温度よりも高ければ、制御装置５０は、冷蔵室１５に繋がる遮蔽壁、例えば図７に示した上段左側遮蔽壁７１４を開状態とする。この状態で、送風機４７が冷蔵室１５に送風することで、冷蔵室１５を選択的かつ集中的に冷却することができる。
【符号の説明】
【０１６９】
１０   冷蔵庫
１１   断熱箱体
１２   外箱
１３   内箱
１４   断熱材
１５   冷蔵室
１７   冷凍室
１７１ 上段右側冷凍室
１７２ 下段右側冷凍室
１７３ 下段左側冷凍室
１７４ 上段左側冷凍室
１８   庫内区画壁
２０   野菜室
２１   断熱扉
２３   断熱扉
２５   断熱扉
２６   冷却室
２７   送風口
２８   戻り口
２９   冷蔵室供給風路
３１   冷凍室供給風路
３１１ 上段右側風路
３１２ 下段右側風路
３１３ 下段左側風路
３１４ 上段左側風路
３３   吹出口
３４、３４１、３４２、３４３、３４４      吹出口
３７   野菜室帰還風路
３８   戻り口
３９   戻り口
４２   断熱仕切壁
４３   断熱仕切壁
４４   圧縮機
４５   冷却器
４６   除霜ヒータ
４７   送風機
４８   回動連結部
４９   送風路仕切壁
５０   制御装置
５０１ 上段右側温度センサ
５０２ 下段右側温度センサ
５０３ 下段左側温度センサ
５０４ 上段左側温度センサ
５１   モータ
６０   遮蔽壁駆動機構
６１   カム
６２   カム収納部
６３   支持基体
６４   回動連結部
６５   仕切体
６６   仕切体
６７   前面カバー
６８   回動連結部
６９   ピン
７０   遮蔽装置
７１   遮蔽壁
７１１ 上段右側遮蔽壁
７１２ 下段右側遮蔽壁
７１３ 下段左側遮蔽壁
７１４ 上段左側遮蔽壁
７３   回転プレート
７６   移動軸
８０   スライド溝
８３   枠状部
８５   凹状部
８６   貫通孔
９２   タイマ
【図１】
2020106264.tif 000003
【図２】
2020106264.tif 000004
【図３】
2020106264.tif 000005
【図４】
2020106264.tif 000006
【図５】
2020106264.tif 000007
【図６】
2020106264.tif 000008
【図７】
2020106264.tif 000009
【図８】
2020106264.tif 000010
【図９】
2020106264.tif 000011
【図１０】
2020106264.tif 000012
【図１１】
2020106264.tif 000013
【図１２】
2020106264.tif 000014
【図１３】
2020106264.tif 000015
【図１４】
2020106264.tif 000016
【図１５】
2020106264.tif 000017
【図１６】
2020106264.tif 000018
【図１７】
2020106264.tif 000019